(57)【要約】【課題】本発明はタッチ検知センサーにおいて、入力手段の多様化と多機能化を図り、操作性を向上させる。また、薄型の電子機器に好適なタッチ入力検知装置を提供する。【解決手段】直線または平面曲線もしくは空間曲線状の所定の軌跡上に連続してタッチ検出センサーを、等間隔もしくは不均一に分布配置したタッチ検知手段から、軌跡上を倣って繰り返しタッチ入力される長さと時間と方向とを取り込む手段と、長さと時間と方向とから速度を算出する手段と、速度から加速度を算出する手段と、を持つことにより、あたかもダイヤルを回しているように、仮想のホイールを回しているが如くに、連続する入力イベントを制御する事を可能とする。更にこの手段を組み込んだタッチ入力検知装置により、上下方向に薄く構成舌入力装置を構築する。【選択図】            図３７
2005293606.tif 000002
【特許請求の範囲】
【請求項１】
直線または平面曲線もしくは空間曲線状の所定の軌跡上に連続し
てタッチ検出センサーを配したタッチ検知手段を有す入力装置において、
軌跡上を倣って繰り返しタッチ入力される長さと、方向と、を取り込む手段を持
つことを特徴とするタッチ入力検知方法。
【請求項２】
直線または平面曲線もしくは空間曲線状の所定の軌跡上に連続し
てタッチ検出センサーを配したタッチ検知手段を有す入力装置において、
軌跡上を倣って繰り返しタッチ入力される長さと時間と方向とを取り込む手段と
、長さと時間と方向とから速度を算出する手段と、速度から加速度を算出する手
段と、を持つことを特徴とするタッチ入力検知方法。
【請求項３】
独立して１つのタッチを検知するタッチ検知センサーを隣接し
て３個配設したタッチ位置検知手段を配し、
接点のオン又はオフを行う少なくとも一つのスイッチ手段と、中央演算プロセッ
サを含む制御手段と、ソフトウェア上の所定のデータテーブルに対するデータポ
インタを持つ電子機器において、
連続して２つのタッチ検知センサーにタッチ検知が行われることを１つのイベ
ントとし、
予めデータテーブルを指し示すデータポインタの移動方向に対応してタッチ位
置変移方向を一意に定めておき、予めデータポインタの移動数に対応してイベン
ト数を一意に定めておき、
タッチ位置検知手段を有効とした時、
所定のデータテーブルに対するデータポインタを移動する時、
順に連続してタッチ検知センサーにタッチ入力があった場合、
（イ）その最初のタッチ検知センサー入力と、次のタッチ検知センサー入力と、
を検知し１つのイベント入力とし、
（ロ）その最初のタッチ検知センサー入力と、次のタッチ検知センサー入力と、
の順番から変移入力方向を検知し、
（ハ）隣接しないタッチセンサー入力を検知した場合、１つのイベント入力とし
、
（ニ）隣接したタッチセンサー入力を逆方向に検知した場合、その直前の入力を
最初のタッチセンサー入力とし、
（ホ）入力されたイベントに対応した数と、方向と、に応じてデータポインタを
移動し、
（ヘ）同一方向にイベントが入力された場合、データポインタを前回の位置に加
算して移動し、
（ト）継続して（イ）と（ロ）と（ハ）と（ニ）と（ホ）と（ヘ）とを行い、
（チ）スイッチ手段による確定入力があったときこのデータポインタで指し示さ
れたデータの選択もしくは機能の実行を行う、少なくとも以上の手段を含む
ことを特徴とするタッチ入力検知方法。
【請求項４】
１次元もしくは２次元あるいは３次元上の点の軌跡上に紐状に
連続して配置した非接触・接触もしくは感圧センサーにたいして指先を触れたま
ま滑らせるオペレーションを行わせ、この連続した指先動作によりタッチを認識
するイベントを発生させ、このタッチイベント数と、タッチイベントの遷移する
方向と、単位時間あたりのタッチイベント発生数と、の一部もしくは全部により
プログラム上のデータポインタもしくは表示画面上のカーソルを移動制御し、項
目やデータやキャラクタの選択を行い、接点のオン又はオフを行うスイッチ手段
により選択した項目やデータやキャラクタの確定もしくは機能の実行を行わせる
【請求項５】
複数の項目と、それらのうち現在どの項目が選択されているか
を明示するカーソルとを表示する表示手段を持ち、直線もしくは曲線状の軌跡線
分上に可動接触子を付設し、該下部に接点を付設し、可動接触子と接点を常時接
触させないためのスペーサを付設し、隣り合う２つの可動接触子を連続して押下
することによって発生する押下イベント数にカーソルを同期させて、移動もしく
は早送り移動し、表示させる手段を持つことを特徴とするタッチ入力検知装置。
【発明の詳細な説明】
【技術分野】
【０００１】
本発明は、主として各種電子機器の入力機能の制御に使用され、主に指等の接
触や押圧を検知して、指先の移動による変移情報や、タッチイベントの入力情報
を処理する入力手段（タッチ検知入力の制御方式）と該手段を用いた入力装置の
一部に関するものである。
【背景技術】
【０００２】
近来、各種電子機器、特には、小型電子機器は軽薄短小化の道を辿ると共に多
機能、高機能、大量情報保持の方向に向かっている。
この為、小型電子機器の多機能化を実現するため、その機能の選択キー入力と、
大量情報の検索および情報入力と、を行うために非常に多数のキーを配設してい
る。
この多機能、高機能、大量情報保持にともなって増加した非常に多数のキー入
力を少数の入力電子部品で実現しようとした入力装置にプッシュスイッチ付き回
転操作型電子部品（ジョグダイアル）例えば特開平８−２０３３８７号公報等を
用いたものがある。これは回転するロータリーエンコーダにより回転する部品部
の物理的な回転角を入力し、その角度変移にともなってプログラム上のデータポ
インタを変移させて、機能もしくはデータの選択を行う入力装置である。
接触による変移値を入力する入力装置としてはＸＹ平面上の位置入力用のタッ
チパネルがある。
従来、金属接触接点スイッチを連続して用いてボリュームを構成したものがあ
ったが、これはあくまでも連続するスイッチによってタッチイベントを受け付け
てボリュームの大小に一意に同期させているだけである。これは、同一方向に何
度も倣って入力しても連続して同一方向の入力距離が加算されて行くわけではな
い。
一方、タッチパネルは距離と方向が入力され何度も同じ部位を倣えば入力情報は
加算されて処理される。しかしこれは予め所定の軌跡状に接触部位を形作ったも
のではない。したがって、所定の連続する軌跡上にタッチ検知スイッチを形作っ
た接触検知部位に連続して倣った入力情報を取り込む制御方法は存在しない。
また従来より、カード型電卓のキー入力部では基板上にマトリクス状に接点を
２つずつ配しフィルム状の可動接触子を上方から湾曲させて押下し接点をオンす
るものがある。しかし、これはあくまで一つずつのキーを押下する入力装置であ
り、指を滑らせるようにして入力することによって複数の項目の選択を行うアル
ゴリズムや処理手段を含んでいない。尚かつデータ選択に当たってデータポイン
タもしくはカーソルのコントロールも指を滑らせることを前提とした目的で行っ
ていないし、そのような手段を含んだ入力装置もない。
【０００３】
本発明で示されるような所定軌跡上のタッチ入力と、スイッチ手段による確定
入力と、を同時に用いて情報入力装置として用いた物が見あたらないので制御方
式は本願が始めてである。
さらに、複数の項目のうち現在どの項目が選択されているかを明示するカーソ
ルを表示する表示手段と、所定軌跡上のタッチ入力と、スイッチ手段による確定
入力と、を同時に用いて情報入力装置として用いた物が見あたらないので制御方
式は本願が始めてである。
さらに、複数の項目のうち現在どの項目が選択されているかを明示するカーソ
ルを表示する表示手段と、所定軌跡上のタッチ入力と、タッチ検知手段に一体化
されたスイッチ手段からの確定入力と、を同時に用いて情報入力装置として用い
た物が見あたらないので制御方式は本願が始めてである。
【発明の開示】
【発明が解決しようとする課題】
【０００４】
各種電子機器の多機能、高機能、大量情報保持に伴って機器内部のマイクロプ
ロセッサやメモリ等の高集積化は非常に進歩発展している。これに伴ってハード
ウェアによるユーザーインターフェースもこれらの入力をより少ない部品数でよ
り効率的に行なえるものへと進化させる必要がある。
単純なプッシュキーの押下により単一のイベント入力をしていたのではキーがい
くつあっても足りないのである。さらに、多くの押下イベント入力を行うために
は極端に多くのキー押下回数が必要となってしまう。
これを回避するために、電子機器に対して、指先の微妙な動作により、連続する
イベント入力が行える入力装置とその制御手段が必要となる。多くのイベント入
力を速やかに行うためにハードウェア機構だけでなくその入力イベントをコント
ロールする制御手段についても多くを解決する必要がある。
また、キーを押下したままでいると項目が送られていく制御方法と、該押下状態
の保持時間によって早送りして行く制御方法があるが、人間の感覚としては時間
よりも指先の移動の方が認識しやすい。
ここで機構としては、連続して複数個もしくは連続して紐状の軌跡に配置した
タッチイベント検出機構がある。これを用いて有効にこのタッチイベントを電子
機器に取り込む制御手段が求められているのである。更に、多くの機能と、大量
の情報と、の選択をスムーズに行うため、機能選択に当たるソフトウェアにおけ
るプログラムのデータポインタ移動と、ハードウェアにおけるタッチイベント検
出と、の連携した制御方法を発明する必要がある。
要するに、連続したタッチ検知機構を用いて連続したデータ入力と、データポ
インタもしくはカーソルの移動と、を制御する処理方式を発明する必要がある。
本願制御手段によって、処理するための連続したタッチイベントを検出するハ
ードウエア構造および方式としては主に次のものがある。
（１）静電誘導式
（２）光学式
（３）直流抵抗検知方式
（４）抵抗膜式
（５）可動電極方式
（６）可動接触子押下方式
その他、電磁誘導式、超音波検知方式が考えられる。
これらの連続して紐状の軌道に配置されたタッチ検出センサーにより、タッチ
によって発生するイベントを取り込み、繰り返し演算処理をすることにより、あ
たかもダイヤルを回しているように、仮想のホイールを回しているが如くに、連
続する入力イベントを制御する手段が必要である。
【課題を解決するための手段】
【０００５】
このため、本発明にあっては、第一の発明として、直線または平面曲線もしく
は空間曲線状の所定の軌跡上に連続してタッチ検出センサーを配したタッチ検知
手段を有す入力装置において、タッチによって発生する物理現象を取り込む手段
を配し、軌跡上を倣って繰り返しタッチ入力される物理現象をスカラー量情報と
ベクトル量情報とに置き換え、該物理量を連続して加算もしくは減算する手段を
持つことにより、上述した課題を解決した。
また、第二の発明として、直線または平面曲線もしくは空間曲線状の所定の軌
跡上に連続してタッチ検出センサーを配したタッチ検知手段を有す入力装置にお
いて、軌跡上を倣って繰り返しタッチ入力される長さと、方向と、を取り込む手
段を持つことにより、同じく上述した課題を解決した。
また、第三の発明として、直線または平面曲線もしくは空間曲線状の所定の軌
跡上に連続してタッチ検出センサーを配したタッチ検知手段を有す入力装置にお
いて、軌跡上を倣って繰り返しタッチ入力される長さと時間と方向とを取り込む
手段と、長さと時間とから速さを算出する手段を持つことにより、同じく上述し
た課題を解決した。
また、第四の発明として、直線または平面曲線もしくは空間曲線状の所定の軌
跡上に連続してタッチ検出センサーを配したタッチ検知手段を有す入力装置にお
いて、軌跡上を倣って繰り返しタッチ入力される長さと時間と方向とを取り込む
手段と、長さと時間と方向とから速度を算出する手段と、を持つことにより、同
じく上述した課題を解決した。
また、第五の発明として、直線または平面曲線もしくは空間曲線状の所定の軌
跡上に連続してタッチ検出センサーを配したタッチ検知手段を有す入力装置にお
いて、軌跡上を倣って繰り返しタッチ入力される長さと時間と方向とを取り込む
手段と、長さと時間と方向とから速度を算出する手段と、速度から加速度を算出
する手段と、を持つことにより、同じく上述した課題を解決した。
また、第六の発明として、直線または平面曲線もしくは空間曲線状の所定の軌
跡上に連続してタッチ検出センサーを配したタッチ検知手段の複数を平行もしく
は略平行に配設し一体化した入力装置において、上記手段を適用し検知情報を取
り込み算出することにより、同じく上述した課題を解決した。
また、第七の発明として、キートップにタッチ検知センサーを設けたキーを、
直線または平面曲線もしくは空間曲線状の所定の軌跡上に連続して配したタッチ
検知手段よりなる入力装置において、上記手段を適用し検知情報を取り込み算出
することにより、同じく上述した課題を解決した。
また、第八の発明として、上記タッチ入力の代わりに接触状態から非接触状態
になったとき発生する情報について上記手段を適用することにより、同じく上述
した課題を解決した。
また、第九の発明として、上記タッチ入力により発生する情報と共に、接触状
態から非接触状態になったとき発生する情報についても、上記手段を適用するこ
とにより、同じく上述した課題を解決した。
また、第十の発明として、上記入力される長さ情報の代わりにセンサー検知に
より生じるイベント個数を用い、速さと速度と加速度とは単位時間あたりのイベ
ント個数で代用することにより、同じく上述した課題を解決した。
【０００６】
また、第十一の発明として、上記タッチ検知手段は、直線または平面曲線もし
くは空間曲線状の所定の軌跡上に連続して粗密性を有する不均一分布にタッチ検
出センサーを配したタッチ検知手段を配設し、上記手段を適用し検知情報を取り
込み算出することにより、同じく上述した課題を解決した。
また、第十二の発明として、上記タッチ検知手段は、直線または平面曲線もし
くは空間曲線状の所定の軌跡上に連続してタッチ検出センサーを均一分布配置し
たタッチ検知手段を配設し、タッチ入力イベント発生位置もしくは発生距離単位
を疎密性を持たせて設定し、、上記手段を適用し検知情報を取り込み算出するこ
とにより、同じく上述した課題を解決した。
また、第十三の発明として、上記タッチ検知手段は、直線または平面曲線もし
くは空間曲線状の所定の軌跡上に連続してタッチ検出センサーを均一分布配置し
たタッチ検知手段を配設し、上記手段を適用し検知情報を取り込み算出すると同
時に、速さもしくは速度あるいは加速度に応じて、タッチ入力イベント発生位置
もしくは発生距離単位を疎密性を持たせて変更することにより、同じく上述した
課題を解決した。
また、第十四の発明として、直線または平面曲線もしくは空間曲線状の所定の
軌跡上に連続して指のタッチ検知手段を配し、接触点をその軌跡に１対１に対応
させた１次元座標上の位置情報として検知する手段を有す入力装置において、該
１次元座標上の位置情報として検知される入力情報に上記手段を適用することに
より、同じく上述した課題を解決した。
また、第十五の発明として、直線または平面曲線もしくは空間曲線状の所定の
軌跡上に連続して指のタッチ検知手段を配し、演算プロセッサを含む制御手段と
、ソフトウェア上の所定のデータテーブルに対するデータポインタを持つ電子機
器において、上記手段を用い取り込み算出した結果とデータポインタとを同期さ
せて、移動あるいは早送り移動させることにより、同じく上述した課題を解決し
た。
また、第十六の発明として、複数の項目と、それらのうち現在どの項目が選択
されているかを明示するカーソルとを表示する表示手段と、直線または平面曲線
もしくは空間曲線状の所定の軌跡上に連続して指のタッチ検知手段と、を持つ電
子機器において、上記手段を用い取り込み算出した結果とカーソルとを同期させ
て、移動あるいは早送り移動させ、表示させることにより、同じく上述した課題
を解決した。
また、第十七の発明として、上記入力装置と共に音声発生機能を付設した入力
装置において、上記手段を適用し検知情報を取り込み算出し、入力に同期して音
声を発生させる手段を加えたことにより、同じく上述した課題を解決した。
また、第十八の発明として、上記入力装置と共に発光体を付設した入力装置に
おいて、上記手段を適用し検知情報を取り込み算出し、入力に同期して発光体に
よる光を発生させる手段を加えたことにより、同じく上述した課題を解決した。
また、第十九の発明として、指の移動もしくはタッチによるタッチ入力の取り
込み算出する手段を持つと共に、同一部位を続けて複数回タッチする事により上
記入力手段と異なるイベントを検知する手段を持つことにより、同じく上述した
課題を解決した。
また、第二十の発明として、上記入力装置と共に、接点のオン又はオフを行う
スイッチ手段を少なくとも１つ有す入力装置において、上記手段を適用し検知情
報を取り込み算出し、該スイッチ手段によりイベント入力する手段を持つことに
より、同じく上述した課題を解決した。
【０００７】
また、第二十一の発明として、上記スイッチ手段はタッチセンサーで構成され
ているとき、該スイッチ手段によりイベント入力を取り込む手段を持つことによ
り、同じく上述した課題を解決した。
また、第二十二の発明として、直線または平面曲線もしくは空間曲線状の所定
の軌跡上に連続してタッチ検出センサーを配したタッチ検知手段と、接点のオン
又はオフを行うスイッチ手段を一体化した入力装置において、上記手段を適用し
検知情報を取り込み算出する手段を持つことにより、同じく上述した課題を解決
した。
また、第二十三の発明として、直線または平面曲線もしくは空間曲線状の所定
の軌跡上に連続してタッチ検出センサーを配したタッチ検知手段と、接点のオン
又はオフを行うスイッチ手段をタッチ検知センサーに隣接して配設した入力装置
において、上記手段を適用し検知情報を取り込み算出し、タッチセンサーの配設
された軌跡と異なる方向への指の移動によってスイッチ手段から発生するイベン
ト入力を受け付けることにより、同じく上述した課題を解決した。
また、第二十四の発明として、直線または平面曲線もしくは空間曲線状の所定
の軌跡上に連続してタッチ検出センサーを配したタッチ検知手段と、接点のオン
又はオフを行うスイッチ手段をタッチ検知センサーに隣接して配設した入力装置
において、上記手段を適用し検知情報を取り込み算出し、タッチセンサーの配設
された軌跡と交差する方向への指の移動によってスイッチ手段から発生するイベ
ント入力を受け付けることにより、同じく上述した課題を解決した。
また、第二十五の発明として、直線または平面曲線もしくは空間曲線状の所定
の軌跡上に連続してタッチ検出センサーを配したタッチ検知手段の複数を平行も
しくは略平行に配設した入力装置において、上記手段を適用し検知情報を取り込
み算出し、一つのタッチセンサーの配設された軌跡と交差する方向への指の移動
によって、他のタッチ検知手段にタッチすることから発生するイベント入力を受
け付ける手段を持つことにより、同じく上述した課題を解決した。
また、第二十六の発明として、２つもしくは３つ以上のタッチセンサーを連続
して並べ、このセンサーを順にタッチすることにより、連続する２つのセンサー
検知で１つの接触イベントを入力する手段により、同じく上述した課題を解決し
た。
また、第二十七の発明として、上記タッチ検知によるタッチ入力イベントと、
スイッチ手段による入力イベントと、を通信手段により送信し通信先の演算手段
により上記入力情報の演算処理を行う手段を持つことを特徴とすることにより、
同じく上述した課題を解決した。
殆どの場合、接触入力に当たってタッチ検知センサーは、接触及び感圧によっ
てそのタッチ位置に見合った信号もしくは電圧を出力するがこれを上記手段のと
おり検知計算することにより上記課題を解決するのである。したがって、上記で
使用している個別の要素、例えば、長さとしての距離、速さ、速度、加速度等は
この電圧及び信号を直接に物理量として認識している。また要素の内、時間につ
いてはタイマーやクロックで認識できる。方向としてはもともとのセンサーの配
置より認識できる。
【０００８】
また、第二十八の発明として、複数の項目と、それらのうち現在どの項目が選
択されているかを明示するカーソルとを表示する表示手段を持ち、直線もしくは
曲線状の軌跡線分上に可動接触子を付設し、該下部に接点を付設し、可動接触子
と接点を常時接触させないためのスペーサを付設し、隣り合う２つの可動接触子
を連続して押下することによって発生する押下イベント数にカーソルを同期させ
て、移動もしくは早送り移動し、表示させる手段を持つことを特徴とするタッチ
入力検知装置を構築することにより、同じく上述した課題を解決した。
また、第二十九の発明として、複数の項目と、それらのうち現在どの項目が選
択されているかを明示するカーソルとを表示する表示手段を持ち、直線もしくは
曲線状の軌跡線分上に可動接触子を付設し、該下部に接点を付設し、可動接触子
と接点を常時接触させないためのスペーサを付設し、可動接触子付設部の上面に
突起を付設し、隣り合う２つの可動接触子を連続して押下することによって発生
する押下イベント数にカーソルを同期させて、移動もしくは早送り移動し、表示
させる手段を持つことを特徴とするタッチ入力検知装置を構築することにより、
同じく上述した課題を解決した。
また、第三十の発明として、複数の項目と、それらのうち現在どの項目が選択
されているかを明示するカーソルとを表示する表示手段を持ち、直線もしくは曲
線状の軌跡線分上に疎密を持って可動接触子を付設し、該下部に接点を付設し、
可動接触子と接点を常時接触させないためのスペーサを付設し、隣り合う２つの
可動接触子を連続して押下することによって発生する押下イベント数にカーソル
を同期させて、移動もしくは早送り移動し、表示させる手段を持つことを特徴と
するタッチ入力検知装置を構築することにより、同じく上述した課題を解決した
。
また、第三十一の発明として、複数の項目と、それらのうち現在どの項目が選
択されているかを明示するカーソルとを表示する表示手段を持ち、直線もしくは
曲線状の軌跡線分上に疎密を持って可動接触子を付設し、該下部に接点を付設し
、可動接触子と接点を常時接触させないためのスペーサを付設し、可動接触子付
設部の上面に突起を付設し、隣り合う２つの可動接触子を連続して押下すること
によって発生する押下イベント数にカーソルを同期させて、移動もしくは早送り
移動し、表示させる手段を持つことを特徴とするタッチ入力検知装置を構築する
ことにより、同じく上述した課題を解決した。
（本願で用いる用語「倣う」とは、ある軌跡上に触れた指などの接触点が軌跡に
沿ったまま変移の意で用いる。「軌道」とは、直線または平面曲線もしくは空間
曲線状の軌跡で、連続して紐状、連続して閉じた円状、連続して閉じた多角形状
、交叉する線状、放射状の線分の意で用いる）
作用
【０００９】
第一の発明により、軌道上に配置された接触検出センサーに触れながら倣って
移動する指先から発生するスカラーとベクトル情報（要素として時間・距離・方
向・速さ・速度・加速度等より成る情報）を繰り返し取り込んで複数の入力イベ
ントを連続して演算制御できる。またこのことにより、あたかもダイヤルを回し
ているように、仮想のホイールを回しているが如くに、連続する入力イベントを
制御することが可能となる。
第二の発明では、軌道上に配置された接触検出センサーに触れながら倣って移
動する指先から発生する長さと、方向と、の情報を連続して取り込むことにより
、連続する入力イベントを制御することが可能となる。
第三の発明により、軌道上に配置された接触検出センサーに触れながら倣って
移動する指先から発生する、長さと、方向と、時間との情報を連続して取り込み
、速さを算出することによって、連続する入力イベントを制御することが可能と
なる。特に速さを認識することにより、データポインタやカーソルの早送りが可
能となる。
第四の発明により、軌道上に配置された接触検出センサーに触れながら倣って
移動する指先から発生する長さと、方向と、時間との情報を連続して取り込み、
速度を算出することによって、連続する入力イベントを制御することが可能とな
る。特に速度を認識することにより、データポインタやカーソルの早送りが可能
となる。
第五の発明により、軌道上に配置された接触検出センサーに触れながら倣って
移動する指先から発生する長さと、方向と、時間との情報を連続して取り込み、
速さを算出し、加速度を算出することによって、連続する入力イベントを制御す
ることが可能となる。特に加速度を認識することにより、データポインタやカー
ソルの早送りが可能となる。
第六の発明により、平行もしくは略平行に複数上記センサーを並べたものから
同時に指の倣い検出と演算が行えることから、連続する距離情報もしくはイベン
ト情報が同時に複数取り込める。これに対して上記手段に加えて更に平均したり
丸め処理を施すことにより指先の変移量もしくはイベント個数がより正確に検出
可能となる。
第七の発明により、キートップにタッチ検知センサーを設けたキーを、直線ま
たは平面曲線もしくは空間曲線状の所定の軌跡上に連続して配した入力装置に上
記手段を用いることにより単なるプッシュキーの集合体にアナログ情報の入力機
能を持たせることが出来る。
第八の発明により、指が接触している状態から離れる時にもイベントを検出す
ることが可能なので、このときにも上記制御を行うことを可能とする。
第九の発明では、指が接触するときにも離れるときにもイベントを検出するこ
とにより、連続する入力イベントを制御することが可能となる。
第十の発明では、例えばセンサーの配置が均一分布でなかった場合など、入力
イベント数が距離に比例していないので単位時間あたりのタッチイベント個数を
距離と置き換えて上記演算処理を行うことにより、連続する入力イベントを制御
することが可能となる。
【００１０】
第十一の発明では、粗密性を有する不均一分布にタッチ検出センサーを配すこ
とにより、指先の微妙な感触により入力イベント数を操作者自身で調節すること
が可能となる。
第十二の発明では、ソフトウエアにより不均一分布を初期設定することにより
、指先の微妙な感触により入力イベント数を操作者自身で調節することが可能と
なる。
第十三の発明では、入力される速さもしくは速度あるいは加速度に応じて、ダ
イナミックにイベント発生点もしくは発生単位を変更することによって、指先の
微妙な感触により入力イベント数を操作者自身で調節することが可能となる。
第十四の発明では、軌道上に配置したセンサーを１次元座標上の距離に対比さ
せて入力情報を認識することにより、連続する入力イベントを制御することが可
能となる。
第十五の発明では、ＣＰＵやＭＰＵ等を搭載した電子機器などで上記取り込み
情報をアプリケーションソフトウエアなどのデータテーブルに対するデータポイ
ンタの制御に用いることを可能とさせる。このことにより、連続するデータ処理
または項目選択もしくは機能選択などに対して連続する指示を行うことを可能と
させる。
第十六の発明では、上記データポインタを表示画面上のカーソルに同期して動
かし上記操作を目視できるようにさせる。
第十七の発明では、音声発生機能を制御することにより連続する入力イベント
を操作者が認識し易くなる。
第十八の発明では、発光機能を制御することにより連続する入力イベントを操
作者が認識し易くなる。
第十九の発明では、同一部位を続けてタッチすることにより、例えばクリック
操作と同じイベントを引き起こす事が出来るようになるので、機能の確定入力等
がダイナミックに行える。
第二十の発明では、上記タッチ検知手段以外に、スイッチ手段を持つ入力装置
に上記手段を適用することにより、例えばクリック操作と同じイベントを引き起
こす事が出来るようになるので、機能の確定入力等がダイナミックに行える。
【００１１】
第二十一の発明では、入力装置が非常に薄く構成されているときなど、連続す
るタッチ検知部のみならず、例えば確定入力スイッチ部の機構まで薄く構成でき
る。したがってこの入力装置を組み込んだ電子機器に上記手段を組み込めばカー
ド型の電子装置などの入力機能を格段に向上できる。
第二十二の発明では、軌道上のタッチ検知手段とスイッチ手段とを一体化した
入力装置において、上記手段を適用することにより、例えば接触検知を行った直
後に指を移動することなく確定入力を可能とさせる。
このことにより、プッシュスイッチ付き回転操作型電子部品（ジョグダイアル）
例えば特開平８−２０３３８７号公報等の操作機能に近い機能を見いだすことが
出来る。
第二十三の発明では、スイッチ手段をタッチ検知センサーに隣接して配設した
入力装置に上記手段を適用することにより、例えば接触検知を行った直後、指を
隣接したスイッチ手段の配設されている部位に移動するだけで確定入力を可能と
させる。
第二十四の発明では、スイッチ手段をタッチ検知センサーに隣接して配設した
入力装置に上記手段を適用することにより、例えば接触検知を行った直後、指を
隣接したスイッチ手段の配設されている部位に横方向に滑らせるだけで確定入力
を可能とさせる。
第二十五の発明では、タッチ検知手段の複数を平行もしくは略平行に配設した
入力装置に上記手段を適用することにより、例えば接触検知を行った直後、指を
隣接したスイッチ手段の配設されている部位に横方向に滑らせるだけで、確定入
力や新たなる入力イベントの取り込みを可能とさせる。
第二十六の発明では、連続する２つもしくは複数個のセンサー検知で接触イベ
ントを取り込むことが出来るのでこれに上記手段を用いれば少ないタッチ検知セ
ンサー個数で多くの入力イベント検知を制御できる。
第二十七の発明では、上記タッチ検知によるタッチ入力イベントあるいは、該
タッチイベントと、スイッチ手段による入力イベントと、を通信手段により送信
し、送信先の演算手段により上記入力情報の演算処理を行う手段を持つことによ
り、複数の入力項目の制御を遠隔操作により行うことが出来る。
これは、例えば発光素子と受光素子による通信や電波による送信手段により複数
項目の選択や確定を行うときに有効である。
またこれは、近来開発された電波に反応して情報を送信することの出来る非接
触型の認識装置に応用しても有効である。
第二十八と二十九の発明では、液晶表示部等を持つクレジットカード型のＩＣ
カード等の入力装置として薄型に入力機能を実現させ、仮想の回転操作型入力装
置の機能を平面に展開することが可能となる。
第三十と三十一の発明では、液晶表示部等を持つクレジットカード型のＩＣカ
ード等の入力装置として薄型に入力機能を実現させ、仮想の回転操作型入力装置
の機能を平面に展開することが可能となり、尚かつ検出密度に疎密を持たせるこ
とにより指先の繊細な感触でもって入力イベント数の調節を可能とさせる。
【発明の効果】
【００１２】
上述のように本発明によって、タッチ検出手段あるいは接触操作型入力装置に
対して上記手段を用いれば、連続した多くの項目と、データと、機能と、を搭載
する電子機器等を構成することが可能となり、非常に多くの機能やデータの選択
を行ったり、多くの機能を簡単に利用することが出来る良好な操作性を提供する
ことが出来る。尚かつ、上記手段を組み込んだ装置はスイッチ押下方向に対して
機構部品の構造上薄くすることが可能なので、右利きと左利きとで利便性が異な
らない左右対称の操作性を持つ装置を構成することが可能となる。
さらにはセンサータッチのイベント数により入力を行うタッチ検知スイッチに
上記手段を用いた場合には、イベント入力数を人間の指の感覚でもって自在に調
節させ、指を当てる場所に応じてイベント数を変更させることにより操作性と多
機能性を向上することが出来る。また、テンキーとタッチ検知部を設けたキーを
兼用させるタッチ入力部に上記手段を用いれば部品点数の削減と操作機能の向上
を図ることが可能となる。
また、本発明の入力装置に於いてはＩＣカードのような上下に薄い電子機器に
おいて仮想の回転操作型入力機構をエミュレーション出来る。
【発明の実施の形態】
【００１３】
まず本願の前提となるハードウェア構成について次の順に詳説する、
１）タッチ位置検知センサーを用いたタッチイベント検知回路構成例
２）直線または平面曲線もしくは空間曲線状の所定の軌跡上に連続してタッチ位
置検出センサーを配した入力装置例
３）上記入力装置を電子機器に組み込んだときの配置例
４）上記入力装置を組み込んだ場合の応用システムの回路構成例
この後、タッチ入力検知方法の実施例の説明を行う
５）操作面からの実施例説明
６）処理手段についての詳細説明
７）タッチ入力検知装置実施例
【００１４】
以下、図面を参照して本発明の実施の形態を説明するに、
１）タッチ位置検知センサーを用いたタッチイベント検知回路構成例である。
具体的なタッチ検知センサーを用いたタッチイベント検知回路構成については以
下のようなものがある。すなわち、主に接触及び感圧によってそのタッチ位置に
見合った信号もしくは電圧を出力する回路である。
【００１５】
タッチ検出センサー部のタッチ位置検知手段として静電誘導式検知手段（静電
容量タイプ）を使用した構成について説明すれば、これは指等の接触を検知する
ためにガラス等の不導体を介して複数個のコンデンサーＣ１，Ｃ２，Ｃ３，・・
・を配置し、接触および接近によってこのそれぞれのコンデンサーＣ１，Ｃ２，
Ｃ３，・・・の容量が変化する事を検知する方式である。ここではコンデンサー
Ｃ１，Ｃ２，Ｃ３，・・・は連続して配置する。図１に示すように、連続して配
置したコンデンサーＣ１，Ｃ２，Ｃ３，・・・に対してパルス発生回路１より、
デコーダとカウンタを内蔵したスキャンドライブ回路２を介して順番に電圧をか
けることによりＣＲ移相発信回路３より発生した周波数信号を周波数比較回路４
へ送り、この信号と、予め前記パルス発生回路１よりコントロール回路５を介し
て周波数比較回路４へ送られた基準信号とを比較し、さらに周波数比較回路４か
らの信号と前記コントロール回路５からの基準信号とを判定回路６に同時に送り
そこで両信号を判定することにより接触によって変わったコンデンサー容量を検
知して指の接触位置を検知するのである。
【００１６】
タッチ検出センサー部のタッチ位置検知手段として光学式検知手段（赤外線検
出タイプ）を使用した構成について説明すれば、これは指等のタッチ検知を行う
キートップの下部に図２に示すような１対１で対応する関係で例えば赤外線発光
ダイオード（ＬＥＤ）等の発光素子７と、例えばフォトトランジスター等の受光
素子８とを一組ずつキートップに連続して配設し、この受光素子８をデマルチプ
レクサ９によって順番に発光させ、発光した光をマルチプレクサ１０により同期
して受光素子８で受ける方式である。この時、受光素子８で受けた光の受光レベ
ルを判定回路６により検出し、光のレベルの判定を行うことで指のタッチ位置を
検知するのである。１２はコントロール回路であり、前記デマルチプレクサ９、
マルチプレクサ１０、判定回路６に接続され、それぞれの回路機能を制御してい
る。また、図２の点線で囲んだ部分であるＡＤ変換器１３を前記マルチプレクサ
１０と判定回路１１との間に介設させれば、接触点に対してアナログ値の検出を
行うことができ、更に検知精度を向上させることが出来る。
【００１７】
タッチ検出センサー部のタッチ位置検知手段として直流抵抗検知方式を使用し
た構成について説明すれば、これは指等の接触検知を行うタッチ位置に金属接点
を付設し、図４に示すような検出回路に示すごとく、例えば入力動作抵抗が２Ｍ
Ωであって金属接触接点スイッチＳＷ１〜ＳＷ７間を跨って接触した指等の高抵
抗を検出し、高抵抗検出電子スイッチモジュールＳＭを介して出力レベルＯＵＴ
１〜ＯＵＴ７をＨＩＧＨ，ＬＯＷの２値に変動させる物としてあり、主として金
属に触れたことを検出するスイッチとして用いられている物である。
【００１８】
タッチ検出センサー部のタッチ位置検知手段として抵抗膜式検知手段（抵抗膜
電極タイプ）を使用した構成について説明すれば、図６に示すように、これは電
極Ａと電極Ｂとを均質な抵抗膜１５を挟んでこれに駆動電圧と接地電圧をかけて
電位分布Ｑを発生させるものである。そして、図７に示すように、この抵抗膜  
に導体から成る電極１６を抵抗膜１５と平行して上部もしくは下部に配設し、指
等のタッチにより抵抗膜１５と、平行した電極１６とを接触導通させ、その接触
により変化した電圧を電圧測定器１７でもって測定することにより接触点の位置
を検出するものである。以上説明したように各種の検知手段によれば、接触点を
その軌跡に１対１に対応させた１次元座標上の位置データとして出力されるもの
であり、特にアナログ式に十分近い場合では指先の動きでもって方向が容易に認
識出来ると共に、デジタル式でもポイント数が多い場合には認識可能となるもの
である。
【００１９】
タッチ検出センサー部のタッチ位置検知手段として可動電極式検知手段（可動
電極スイッチタイプ）を使用した構成について説明すれば、図８（ａ）に示すよ
うに、これは軌跡上に連続して配設した例えば直線上の電極と、スペーサ２１を
介して間隔をあけて断続して配設した電極との内いずれか一方を可動電極２２と
し且つ他方を固定電極２３とし、指等による圧潰力でもってこの可動電極２２を
固定電極側に湾曲接続させその接点の通電位置と時間から指の接触点を検出する
ものとしてある。図８（ｂ）ではコントロール回路１８によりカウンタ１９を起
動し、デコーダ２０からは順番に接点Ｓ１，Ｓ２，Ｓ３，・・・と検知して行く
。この時オンされた接点の部分で電圧がＬＯＷになり接触点が検知できるのであ
る。
この可動電極式とほぼ同じ方式となるが２つの電極を固定して可動接触子を用い
て接点を短絡する構造もとれる。
その他、電磁誘導方式、超音波検知方式等のタッチ検知方式等に応用すること
もできる。
【００２０】
２）直線または平面曲線もしくは空間曲線状の所定の軌跡上に連続してタッチ
位置検出センサーを配した入力装置例
具体的な接触操作型入力装置については次のようなものがある。すなわち、主
に接触及び感圧によってそのタッチ位置に見合った信号もしくは電圧を出力する
機構をもつ装置である。
接触操作型入力装置として、図９（ａ）のごとく直線上又は図９（ｂ）のごと
く曲線上にタッチ位置検知センサー２４を配し、その隣接部にスイッチ２５を配
設したもの。（ｃ）のごとくタッチセンサーの付設した直線状の軌跡を交叉させ
たもの、（ｄ）のように検知密度の異なったものを複数配設したものなどがある
。
図１０のごとく直線上又は曲線上に連続して配置したタッチ位置検知センサー
２４を所定の範囲で水平に動き得るように保持し、このタッチ位置検出部３４と
センサー２４からの電気信号又は電圧を伝える導電路となる弾性接点脚２６を接
点付き取付基板２９に配設し、タッチ位置検出部３４を通常状態で水平一定方向
へ押しつけるバネ体３３と、バネ体３３の付勢力に抗して前記タッチ位置検出部
３４を押すことにより動作するよう接点付き取付基板２９の上にプッシュスイッ
チ部２７を設けたもの。    
【００２１】
さらに、図１１（ａ）に示すように直線上又は曲線上に連続して配置したタッ
チ位置検知センサー２４を配設したタッチ位置検知部３４を柱状もしくは管状の
接続部材３８により圧力スイッチを内蔵した保持部３６に係合し、保持部３６に
内蔵したバネ体もしくは弾性体により一定方向に付勢し、上部から押下があった
ときには下方へ押し入って接点のオン又はオフを行うもの。図１１（ｂ）はタッ
チセンサー３７の２つ配設したもの、（ｃ）は３つ配設したものである。導電路
については接続部材３８の中にケーブルもしくは弾性接点脚を設ける事もできる
し図のように部材の外側にケーブル３５を出しても良い。
また、図１２（ａ）のように円形の軌跡上にタッチ位置検知センサー４０を配
し検知部全体を押下可能としたもの、同様に円形で円の中心にスイッチ３９を付
設したもの、図１３のように弾性体によりセンサー部自体を保持し接点もしくは
可動接触子を接触させるもの。
図１４の様にプッシュスイッチ部が２点の場合、直線上又は曲線上に連続して
配置したタッチ位置検知センサー２４を配設したタッチ位置検知部３４に指先を
タッチさせることによりそのタッチ位置検知センサー２４に応じた電気信号又は
電圧を発生するタッチ位置検知部３４と、そのタッチ位置検知部３４のための導
電路としてケーブル３５を付設し、上方に向かって常時弾発付勢すべくコイル状
のバネ体３３を設け上方から十分な圧力が加えられたとき該バネ体３３の弾発付
勢力に抗してプッシュスイッチ部２７Ａを押下するものとし、タッチ位置入力部
を板バネ３３Ｂで横方向に付勢し片側傾倒方向に揺動自在に支承させ、斜め方向
からの圧力によりこの第二のプッシュスイッチ２７Ｂを押下する物としてある。
タッチ位置検知センサーについては軌跡線上に均一に分布させる方式と図１５
（ａ）のように１方向に向かって密度を上げていくもの、不均一分布にして配し
たもの、（ｂ）のように両端で密度を上げたもの、（ｃ）のように円上の軌跡に
不均一に疎密を持たせて配したもの、（ｄ）のように１方向に順次密度を上げて
配したもの等がある。
その他変位単位の同じもしくは異なるものを配した軌跡の複数によって成された
物等がある。
その他に、直線上又は曲線上に連続して配置したタッチ位置検知センサーの構
成単位として図１６（ａ）のようにキートップに１つのタッチを検知するタッチ
位置検知センサー２４を付設したもの、（ｂ）のように複数のタッチ検知センサ
ーを設けたもの、（ｃ）のようにタッチパット４３を設けたものなどがある。こ
の時導電路は接続部材  の中にケーブルもしくは弾性接点脚等を設ける事もでき
るし（ｄ）のように部材の外側に出しても良い。これを連続する軌跡上に配置す
れば本発明の接触検知方法を使用できる。
【００２２】
３）上記入力装置を電子機器に組み込んだときの配置例
上記入力装置は、図１７（ａ）に示すように例えば携帯用の単一電子機器にお
いて、装置前面の中央近傍に軌跡として横一直線に配設したり、（ｂ）のように
装置前面の中央近傍に軌跡として縦にタッチ位置検知センサーを配設したり、（
ｃ）のような曲線上の軌跡にして装置前面の中央近傍にスイッチ手段と共に配設
したりすることができる。また、装置側面の上部に図１７（ｄ）のごとく曲線上
の軌跡にして装置全体を握りしめたとき親指による操作がしやすいように親指の
動作軌跡に沿って付設することもできる。（ｅ）は更に親指の軌跡の接線と垂直
方向に指をスライドさせてスイッチ手段を押下し易くしたものである。（ｆ）は
直線の軌跡上に装置側面にタッチ検知センサーを設け軌跡と垂直方向に指を滑ら
せてスイッチ手段を起動できるように配したものである。図１８（ａ）のように
装置前面の中央近傍に軌跡として円形にタッチ位置検知センサーを配すこともで
きる。図１８（ｂ）では横長の立方体に近い形状でその側面に配したものである
。
図１８（ｃ），（ｄ），（ｅ）は回転操作型電子部品（ジョグダイアルなど）
が使用不可能なカード型電子機器において本発明の入力手段を配設した例である
。表示手段としては、例えば液晶表示手段を設け、図１８（ｃ）のごとく装置上
面の右寄り縦にタッチ検知センサーの疎密を持たせたものを配設したもの、（ｄ
）のごとく２つの軌跡により配設したもの、これはタッチ検出密度を変えたもの
であっても良い、（ｅ）のごとく円形の軌跡に配設したものなどがある。これら
カード型には可動接触子型が好適である。この時スイッチ手段も可動接触子によ
るスイッチがよい。これらカード型については（ｆ）のように軌跡を横に左から
右に向かって配設し手に保持したままカード面を人差し指と親指で表と裏から挟
み込んで滑らせるような操作で使用し易くする配置もある。
図１９では、キートップにタッチ位置検知センサーを付設したものを軌跡上に
配置し、指先を各キートップ間を跨って滑らせるように移動し軌跡上のタッチイ
ベントもしくは移動距離を入力させる。図１９（ａ）は装置前面のボタン上に縦
一列の軌跡上に配設、（ｂ）は縦一列と交わる横一列に配設、（ｃ）は縦二列に
配設、（ｄ）は縦または横三列もしくは放射状の軌跡に配設したものである。
【００２３】
４）上記入力装置を組み込んだ場合の応用システムの回路構成例
本発明の入力処理手段を搭載した応用システムの回路構成例を示せば、図２０
のようにタッチ位置検出センサー部２４に対して入力された指等のタッチ入力は
電気信号もしくは電圧などによりタッチ検知回路４９により検知され、演算制御
回路４８（ＣＰＵ中央演算装置、ＤＳＰデジタルシグナルプロセッサ，ＭＰＵマ
イクロプロセッサ、メモリ等を含むこともできる）により認識され、場合により
カーソルを表示回路を通して表示させ、処理内容によっては音声回路４７を通し
てスピーカ部４６から音声を発生させ、発光体５１により発光させることもでき
る。応用システムが演算制御回路４８に同時に搭載されていない場合は、さらに
応用システムに情報出力を行う。応用システムが演算制御回路に同時に搭載され
ている場合は点線部の出力はない。
【００２４】
タッチ入力検知方法の実施例
以下に本発明のタッチ入力検知方法につき実施例を詳述する。
５）操作面からの実施例説明
以下に図面と共に本発明のタッチ入力検知方法につき操作面からユーザーイン
ターフェィスとして実施例を詳述する。
例えば、複数の項目と、それらのうち現在どの項目が選択されているかを明示す
るカーソルとを表示する表示手段と、直線または平面曲線もしくは空間曲線状の
所定の軌跡上に連続して指のタッチ位置検知手段を配し、接触点をその軌跡に１
対１に対応させた１次元座標上の位置情報として検知する所定軌跡上のタッチ位
置入力部と、接点のオン又はオフを行う少なくとも一つのスイッチ手段と、を持
つ上記タッチ入力検知方法を内蔵した、例えば遠隔コントローラ（図２１）であ
る。
図２１ではこの遠隔コントローラでは、タッチセンサー２４とスイッチ２５と
から入力された情報が、発光素子５３を経由して、待ち受け側の装置に対して送
出される。入力時には、スピーカ４６あるいは液晶表示面４５によって操作状態
が認識される。
このコントローラはタッチ入力待ち受け状態で２６個の機能（機能１から２６
までとしてＡＡＡ、ＢＢＢ、ＣＣＣ、・・・、ＹＹＹ、ＺＺＺ）の選択待ちの状
態である。この時、１６番の機能ＰＰＰを選択するため図２２の如く左手で握り
しめて親指をタッチセンサー２４の左側から右側にかけてタッチしつつ倣って行
く、するとカーソル５２は画面上で下方に移動しプログラム上のデータポインタ
も同期して下方に移動する。ここで選択する機能は１６番目のＰＰＰとするとデ
ータポインタ及びカーソル５２を更に下方に送るため親指をいったんタッチ検知
部から離して左に移動する。そして、改めて親指をタッチ検知部に触れて倣いな
がら右に移動する。こうすることによりデータポインタ及びカーソルは継続して
下方に送られて行く。もし行き過ぎた場合は親指をタッチ検知部に触れたまま右
から左に倣って移動する。１６番の機能ＰＰＰにカーソルが移動したとき親指を
下方に滑らせて確定スイッチ２５を押下するとコントローラの対象物である機器
に対してコントローラ上部の赤外線ＬＥＤ５３から機能発行信号の赤外線が出力
される。また、指先の倣い動作を速く行うと速さを認識してカーソルは機能複数
個ずつ進むようになる。
ここでは機能選択と機能発行とに関する操作及び方式の説明が主体であるし、
公知のものが多くあるので、赤外線ＬＥＤ付きコントローラ内部の機構について
はこれ以上深く述べないが、簡単には赤外線ＬＥＤとマイクロプロセッサとメモ
リ（ＲＯＭ，ＲＡＭ）により制御ソフトウエアで実現できる。
以上の例では左から右に倣うことでカーソル及びデータポインタを下に移動さ
せたが、右から左に向かって倣うように逆方向に設定しても良いし、カーソル及
びデータポインタを下から上に移動するように設定しても良いし、タッチ検知セ
ンサーを疎密を持って配設し指が触れる場所によってカーソル及びデータポイン
タの移動個数が変わるように配置しても良い。この疎密を持たせた場合は、指先
の移動量に応じて項目イベントが入力されるわけではなく、あくまで指先が触れ
た場所に配置してあるセンサーのタッチイベント数によりカーソル及びデータポ
インタは移動することになる。これは移動量に応じて項目イベント入力を受け付
けるのではなく、タッチイベント数に応じて項目イベント入力を受け付ける、と
言うことである。
【００２５】
図２６に示したコントロール装置の例では図１２の（Ａ）で説明した円形の軌
跡上にタッチ検出センサーを設けたスイッチ一体型の接触操作型電子部品を使用
した例である。
ここでは表示に関わる機能のデータは、始めに８項目（ＡＡＡ，ＢＢＢ，ＣＣＣ
，ＤＤＤ，ＥＥＥ，ＦＦＦ，ＧＧＧ，ＨＨＨ）ありそれぞれの項目選択の後（Ａ
Ａ１，ＡＡ２，ＡＡ３，ＡＡ４，ＡＡ５，ＡＡ６，ＡＡ７）のように更に７項目
ずつ機能がツリー構造に設定されている。ＢＢＢについても（ＢＢ１，ＢＢ２、
・・・、ＢＢ７）ＣＣＣについても同様である。以下ではＦＦ６の機能を発行す
る手順を説明して入力操作処理の説明とする。
図２６は機能選択待ち受けの初期状態である。この状態から図２７から図２８
の如く親指を円周に倣って時計回りに移動することによりカーソル及びデータポ
インタは下方に移動して行く。更に時計回りに移動し続けるとカーソル及びデー
タポインタはＡＡＡ→ＢＢＢ→ＣＣＣ→ＤＤＤ→ＥＥＥ→ＦＦＦ→ＧＧＧ→ＨＨ
Ｈ→ＡＡＡ→ＢＢＢ→ＣＣＣ→とサイクリックに移動し続ける。図２９のように
逆回りにしたときにはＡＡＡ→ＨＨＨ→ＧＧＧ→ＦＦＦ→ＥＥＥ→ＤＤＤ→ＣＣ
Ｃ→ＢＢＢ→ＡＡＡ→ＨＨＨ→ＧＧＧ→ＦＦＦ→の順となる。
倣いの動作を停止し指をセンサーから持ち上げて再びまた同一方向に倣って行け
ばカーソルは続けて同じ方向に移動して行く。
カーソルをＦＦＦに移動した後、接触操作型電子部品の中心部のスイッチ３９
を図３０の如く押下することによって機能ＦＦＦが選択され機能ＦＦ１からＦＦ
７が画面上に現れデータポインタもデータＦＦ１を指し示すことになる。更に図
３１の如く、このＦＦ１からＦＦ７までの中からＦＦ６を選択し、図３２の如く
、中心部のスイッチ３９を押下することによりコントローラの対象物である機器
に対してコントローラ上部の赤外線ＬＥＤから機能発行信号の赤外線が出力され
る。また、逆回りについては別機能のデータを表示して選択する方式でも良い。
右利きと左利きがあるので右回り左回りについては初期設定で変更する手段を設
けてあっても良い。
【００２６】
図３３の例はタッチ検知部に図１６に示したようなキートップにタッチ検知セ
ンサーをつけたキーを直線上に配設したコントローラである。表示画面に現れた
カーソルを見ながら検知部の軌跡に沿って、（ｂ）、（ｃ）の如く上から下に親
指をキートップにタッチさせながら移動すると、カーソル及びデータポインタは
下に向かって移動する。カーソルが選択したい機能に移動したとき（ｄ）の如く
そのままタッチしているキーを押下する。これにより機能が選択発行される。機
能の確定は他のプッシュスイッチを用いる方式もとれる。
図３４を用いてタッチ入力検知時のデータポインタ移動ついて一例を示す。
タッチ検知入力待ち（初期状態）の時、最初に、連続するタッチ検知センサー上
を倣って接触点が移動するとき、図３４（ａ）の如く３から７へ接触点が移動し
たときプログラム上のデータポインタ  は１から５まで移動する、さらに同一方
向で２から５まで接触点が移動したときデータポインタは５から８まで移動する
。更に今度は逆方向で接触点が９から３へ移動したときデータポインタは８から
２へ移動することになる。データテーブルの処理が図３４（ｂ）の如く１から１
００までで閉じているときはデータポインタはその範囲を超えないが、閉じてお
らず１００の次は１に戻るようにプログラムが組まれているときはデータポイン
タも順に戻って処理される。
この処理は、タッチ検知部を通して、実際には存在しないホイールダイヤルを回
しているが如くアナログ的なデータ入力を可能とする処理と同じ物である。
さらには、本願では指の接触点の移動速さ、もしくはタッチイベントの単位時間
あたりの入力個数が所定の敷居値を越えた場合にはデータポインタの単位あたり
移動個数を増やすことを発明している。
データポインタの移動については接触点の移動距離に併せて移動する方式と、
一つもしくは複数のタッチイベントに併せて移動する方式との両方を発明してい
る。
また、接触点の検知については接触面積に当たる線分の長さを認識して指の位置
を計算する処理を加える事もできる。
【００２７】
６）処理手段についての詳細説明
以下に本発明において実施可能な処理手段についての幾つかの例を詳説する。
直線または平面曲線もしくは空間曲線状の所定の軌跡上に連続してタッチ位置
検出センサーを配したタッチ位置検知手段と、接点のオン又はオフを行うスイッ
チ手段を少なくとも１つ有す入力装置において、
タッチ位置検知手段が有効な状態の時、
タッチ位置情報の入力があった場合で、所定の軌跡上に連続して同一方向へ向か
う変移入力を受け付けたとき、
（イ）その最初の位置情報と、最後の位置情報と、の差を計算し接触点の変移量
情報（タッチしたセンサー個数もしくは変移距離）とし、
（ロ）その最初の位置情報と、最後の位置情報と、の差を計算し変移方向情報と
し、
（ハ）そのタッチしたセンサー個数もしくは変移距離と、変移時間と、の商を計
算し変移速さ情報とし、
（ニ）継続して（イ）と（ロ）と（ハ）とを行い、変移時にタッチしたセンサー
個数もしくは変移距離と、変移方向と、変移速さと、を出力することにより、
上記の入力装置もしくはこの入力装置を組み込んだ電子機器は継続するイベント
入力が効果的に行えるようになっている。
【００２８】
さらに別の実施例として
直線または平面曲線もしくは空間曲線状の所定の軌跡上に連続して指のタッチ
位置検知手段を配し、接触点をその軌跡に１対１に対応させた１次元座標上の位
置情報として検知する所定軌跡上のタッチ位置入力部と、接点のオン又はオフを
行うスイッチ手段を少なくとも１つ有す入力装置において、
タッチ位置検知手段を有効とした時、所定の１次元座標上の位置情報として検知
される入力の中で、連続して同一方向へ向かう変移入力があった場合、
（イ）その最初の位置情報と、最後の位置情報と、の差を計算し変移距離情報と
し、
（ロ）その最初の位置情報と、最後の位置情報と、の差を計算し変移方向情報と
し、
（ハ）そのタッチしたセンサー個数もしくは変移距離と、変移時間と、の商を計
算し変移速さ情報とし、
（ニ）継続して（イ）と（ロ）と（ハ）とを行い、接触点の変移距離と、変移方
向と、変移速さと、を出力することにより、
上記の入力装置もしくはこの入力装置を組み込んだ電子機器は継続するイベント
入力が効果的に行えるようになっている。
【００２９】
さらに別の実施例としてデータポインタの制御に関わるものであるが、
直線または平面曲線もしくは空間曲線状の所定の軌跡上に連続して指のタッチ
位置検知手段を配し、接触点をその軌跡に１対１に対応させた１次元座標上の位
置情報として検知する所定軌跡上のタッチ位置入力部と、接点のオン又はオフを
行う少なくとも一つのスイッチ手段と、中央演算プロセッサを含む制御手段と、
ソフトウェア上の所定のデータテーブルに対するデータポインタを持つ電子機器
において、
予めデータテーブルを指し示すデータポインタの移動方向をタッチ位置の変移
方向に一意に定めておき、予めデータポインタの移動個数をタッチ位置の変移距
離に一意に定めておき、
タッチ位置検知手段を有効とした時、所定のデータテーブルに対するデータポ
インタを移動する時、所定の１次元座標上の位置情報として検知される入力の中
で、連続して同一方向へ向かう変移入力があった場合、
（イ）その最初の位置情報と、最後の位置情報と、の差を計算し変移距離情報と
し、
（ロ）その最初の位置情報と、最後の位置情報と、の差を計算し変移方向情報と
し、
（ハ）その変移距離と、変移時間と、の商を計算し変移速さ情報とし、
（ニ）入力された距離に対応した数と、方向と、に応じてデータポインタを移動
し、
（ホ）入力された速さに応じてデータポインタの移動量を変更して移動し、
（ヘ）同一方向に距離情報が入力された場合、データポインタを前回の位置に加
算して移動し、
（ト）継続して（イ）と（ロ）と（ハ）と（ニ）と（ホ）と（ヘ）とを行い、
（チ）スイッチ手段による確定入力があったときこのデータポインタで指し示さ
れたデータの選択もしくは機能の実行を行うことにより、
上記の入力装置もしくはこの入力装置を組み込んだ電子機器は継続するイベント
入力が効果的に行えるようになっている。
【００３０】
さらに別の実施例としてカーソルの制御に関わるものであるが、
複数の項目と、それらのうち現在どの項目が選択されているかを明示するカー
ソルとを表示する表示手段と、直線または平面曲線もしくは空間曲線状の所定の
軌跡上に連続して指のタッチ位置検知手段を配し、接触点をその軌跡に１対１に
対応させた１次元座標上の位置情報として検知する所定軌跡上のタッチ位置入力
部と、接点のオン又はオフを行う少なくとも一つのスイッチ手段と、を持つ電子
機器において、
予め接触点の移動方向に対応して該カーソルの変移方向を一意に定めておき、
予め接触点の移動距離に対応して該カーソルの変移距離を一意に定めておき、
タッチ位置検知手段を有効とした時、所定の項目に対するカーソルを移動する
時、所定の１次元座標上の位置情報として検知される入力の中で、連続して同一
方向へ向かう接触点の変移入力があった場合、
（イ）その最初の位置情報と、最後の位置情報と、の差を計算し変移距離情報と
し、
（ロ）その最初の位置情報と、最後の位置情報と、の差を計算し変移方向情報と
し、
（ハ）その変移距離と、変移時間と、の商を計算し変移速さ情報とし、
（ニ）入力された距離に対応した数と、方向と、に応じてカーソルを移動し、
（ホ）入力された速さに応じてカーソルの移動量を変更して移動し、
（ヘ）同一方向に距離情報が入力された場合、カーソルを前回の位置に加算して
移動し、
（ト）継続して（イ）と（ロ）と（ハ）と（ニ）と（ホ）と（ヘ）とを行い、
（チ）スイッチ手段による確定入力があったときこのカーソルで指し示されたデ
ータの選択もしくは機能の実行を行うことにより、
上記の入力装置もしくはこの入力装置を組み込んだ電子機器は継続するイベント
入力が効果的に行えるようになっている。
【００３１】
更に、別の実施例として、
独立して１つのタッチを検知するタッチ検知センサーを隣接して２個配設した
タッチ位置検知手段を配し、
接点のオン又はオフを行う少なくとも一つのスイッチ手段と、中央演算プロセッ
サを含む制御手段と、ソフトウェア上の所定のデータテーブルに対するデータポ
インタを持つ電子機器において、
連続して２つのタッチ検知センサーにタッチ検知が行われることを１つのイベ
ントとし、
予めデータテーブルを指し示すデータポインタの移動方向に対応してタッチ位
置変移方向を一意に定めておき、予めデータポインタの移動数に対応してイベン
ト数を一意に定めておき、
タッチ位置検知手段を有効とした時、
所定のデータテーブルに対するデータポインタを移動する時、
順に連続してタッチ検知センサーにタッチ入力があった場合、
（イ）その最初のタッチ検知センサー入力と、次のタッチ検知センサー入力と、
を検知し１つのイベント入力とし、
（ロ）その最初のタッチ検知センサー入力と、次のタッチ検知センサー入力と、
の順番から変移入力方向を検知し、
（ハ）入力されたイベントに対応した数と、方向と、に応じてデータポインタを
移動し、
（ニ）同一方向にイベントが入力された場合、データポインタを前回の位置に加
算して移動し、
（ホ）その最初のイベント入力と、次のイベント入力とにかかった時間から単位
時間あたりの入力イベント数を算出し、これを速さ情報とし、
（ヘ）入力された速さ情報に応じてデータポインタの移動量を変更して移動し、
（ト）継続して（イ）と（ロ）と（ハ）と（ニ）と（ホ）と（ヘ）とを行い、
（チ）スイッチ手段による確定入力があったときこのデータポインタで指し示さ
れたデータの選択もしくは機能の実行を行うことにより、
上記の入力装置もしくはこの入力装置を組み込んだ電子機器は継続するイベント
入力が効果的に行えるようになっている。
この例に於いては、接触状態から非接触状態に変わった時にもイベント入力、
変移方向入力及び変移速さ情報計算を行う事もできるし、複数の項目と、それら
のうち現在どの項目が選択されているかを明示するカーソルとを表示する表示手
段を配し、該カーソルをデータポインタに同期させえることもできる。
【００３２】
さらに別の実施例として
独立して１つのタッチを検知するタッチ検知センサーを隣接して３個配設した
タッチ位置検知手段を配し、
接点のオン又はオフを行う少なくとも一つのスイッチ手段と、中央演算プロセッ
サを含む制御手段と、ソフトウェア上の所定のデータテーブルに対するデータポ
インタを持つ電子機器において、
連続して２つのタッチ検知センサーにタッチ検知が行われることを１つのイベ
ントとし、
予めデータテーブルを指し示すデータポインタの移動方向に対応してタッチ位
置変移方向を一意に定めておき、予めデータポインタの移動数に対応してイベン
ト数を一意に定めておき、
タッチ位置検知手段を有効とした時、
所定のデータテーブルに対するデータポインタを移動する時、
順に連続してタッチ検知センサーにタッチ入力があった場合、
（イ）その最初のタッチ検知センサー入力と、次のタッチ検知センサー入力と、
を検知し１つのイベント入力とし、
（ロ）その最初のタッチ検知センサー入力と、次のタッチ検知センサー入力と、
の順番から変移入力方向を検知し、
（ハ）隣接しないタッチセンサー入力を検知した場合、１つのイベント入力とし
、
（ニ）隣接したタッチセンサー入力を逆方向に検知した場合、その直前の入力を
最初のタッチセンサー入力とし、
（ホ）入力されたイベントに対応した数と、方向と、に応じてデータポインタを
移動し、
（ヘ）同一方向にイベントが入力された場合、データポインタを前回の位置に加
算して移動し、
（ト）その最初のイベント入力と、次のイベント入力とにかかった時間から単位
時間あたりの入力イベント数を算出し、これを速さ情報とし、
（チ）入力された速さ情報に応じてデータポインタの移動量を変更して移動し、
（リ）継続して（イ）と（ロ）と（ハ）と（ニ）と（ホ）と（ヘ）と（チ）と（
リ）とを行い、
（ヌ）スイッチ手段による確定入力があったときこのデータポインタで指し示さ
れたデータの選択もしくは機能の実行を行うことにより、
上記の入力装置もしくはこの入力装置を組み込んだ電子機器は継続するイベント
入力が効果的に行えるようになっている。
この例に於いても、接触状態から非接触状態に変わった時にもイベント入力、
変移方向入力及び変移速さ情報計算を行う事もできるし、複数の項目と、それら
のうち現在どの項目が選択されているかを明示するカーソルとを表示する表示手
段を配し、該カーソルをデータポインタに同期させることもできる。
【００３３】
さらに別の実施例として
直線または平面曲線もしくは空間曲線状の所定の軌跡上に連続してタッチ位置
検出センサーを配したタッチ位置検知手段を配し、
接点のオン又はオフを行う少なくとも一つのスイッチ手段と、中央演算プロセッ
サを含む制御手段と、ソフトウェア上の所定のデータテーブルに対するデータポ
インタを持つ電子機器において、
連続して複数のタッチ検知センサーにタッチ検知が行われること、もしくは各
々所定の間隔でタッチ位置が移動すること、を１つのイベントとし、
予めデータテーブルを指し示すデータポインタの移動方向に対応してタッチ位
置変移方向を一意に定めておき、予めデータポインタの移動数に対応してイベン
ト数を一意に定めておき、
タッチ位置検知手段を有効とした時、
タッチ入力イベント設定として、
タッチ入力イベント発生位置もしくはタッチ入力イベント発生距離単位を粗密性
を持たせて設定し、
所定のデータテーブルに対するデータポインタを移動する時、
順に連続してタッチ検知センサーにタッチ入力があった場合、
（イ）その最初のタッチ検知センサー入力と、次のタッチ検知センサー入力と、
を検知し１つのイベント入力とし、
（ロ）その最初のタッチ検知センサー入力と、次のタッチ検知センサー入力と、
の順番から変移入力方向を検知し、
（ハ）入力されたイベントに対応した数と、方向と、に応じてデータポインタを
移動し、
（ニ）同一方向にイベントが入力された場合、データポインタを前回の位置に加
算して移動し、
（ホ）その最初のイベント入力と、次のイベント入力とにかかった時間から単位
時間あたりの入力イベント数を算出し、これを速さ情報とし、
（ヘ）入力された速さ情報に応じてデータポインタの移動量を変更して移動し、
（ト）継続して（イ）と（ロ）と（ハ）と（ニ）と（ホ）と（ヘ）とを行い、
（チ）スイッチ手段による確定入力があったときこのデータポインタで指し示さ
れたデータの選択もしくは機能の実行を行うことにより、
上記の入力装置もしくはこの入力装置を組み込んだ電子機器は継続するイベント
入力が効果的に行えるようになっている。
【００３４】
さらに以上の処理手段に加えて、
上記入力装置と共に音声発生機能を付設した入力装置において、タッチ入力も
しくはイベント入力に同期して音声を発生させる手段を加える事もできる。
上記入力装置と共に発光体を付設した入力装置において、タッチ入力もしくは
イベント入力に同期して発光体による光を発生させる手段を加える事もできる。
さらに、タッチ検知センサーと接点のオン又はオフを行うスイッチ手段を一体
化した入力装置において、上記タッチ操作手段を用いることもできる。
タッチ検知センサーに隣接した接点のオン又はオフを行うスイッチ手段を配設
した入力装置において、上記接触操作手段を用い、タッチ操作入力を検知すると
共にタッチセンサーの配設された軌跡と異なる方向への指の移動の後、その指に
よって起動されたスイッチ手段の入力により確定入力を受け付けることもできる
。
タッチ検知センサーに隣接した接点のオン又はオフを行うスイッチ手段を配設
した入力装置において、上記接触操作手段を用い、タッチ操作入力を検知すると
共にタッチセンサーの配設された軌跡と直交する方向への指の移動の後、その指
によって起動されたスイッチ手段の入力を受け付けることもできる。
また、さらに、タッチ位置検知手段を有効にするシーケンスもしくは初期設定
を行なうシーケンスを並べ替えることもできる。
【００３５】
以上の処理手段については一部は電子回路で代用することが出来るが同一の処
理手段を含めば本願と同じである。
以上の処理手段についてはプログラム処理で実行できるがシーケンスを並べ替え
ても本願と同じである。
以上の処理手段についてはプログラム処理で実行できるがその処理の一部を割り
込み処理で行っても、ドライバルーチンで行っても、ＲＯＭＢＩＯＳ中で行って
も、これらの処理手段は本願と同じである。
以上の処理手段についてはプログラム処理で実行できるがマルチタスク処理で分
散させても同一の処理手段を含めば本願と同じである。
以上の処理手段についてはオペレーティングシステム内部でも実行できるが同一
の処理手段を含めば本願と同じである。
以上の処理手段についてはアプリケーションソフトウエア内部でも実行できるが
同一の処理手段を含めば本願と同じである。
以上の処理手段については、送信手段付きのセンサー付設側装置でイベント入力
のみを行い、通信受信側の装置で上記処理手続きを行っても実行できるし、各々
の送受信装置の実行する処理手段の配分を変えても実行できるが、同一の処理手
段を含めば本願と同じである。
【００３６】
７）タッチ入力検知装置実施例
以下、本発明の実施例で、複数の項目と、それらのうち現在どの項目が選択さ
れているかを明示するカーソルとを表示する表示手段を持ち、直線もしくは曲線
状の軌跡線分上に可動接触子を付設し、該下部に接点を付設し、可動接触子と接
点を常時接触させないためのスペーサを付設し、可動接触子付設部の上面に突起
を付設し、隣り合う２つの可動接触子を連続して押下することによって発生する
押下イベント数にカーソルを同期させて、移動もしくは早送り移動し、表示させ
る手段を持つことを特徴とするタッチ入力検知装置である。
図３５に示すように、上記可動電極方式とほぼ同じ構成であるがタッチ検出セ
ンサー部のタッチ位置検知手段として可動接触子方式を使用した構成であり、軌
跡上に連続して配設した２個で一組となる接点Ｓ１乃至Ｓ５に可動接触子Ｍ１乃
至Ｍ５を接触させることにより軌跡上の接触位置もしくは接触イベントを検出す
る。図３６（ａ）は上面に突起２４を持ち、下面に導体５８を持つフィルム状の
可動部２７と、スペーサ２１と接点Ｓを持つ基板２３で構成し、指等による圧潰
力でもってこのフィルム状可動部２７を接点側に湾曲接続させ接点Ｓを短絡し、
その接点の通電位置と時間から指の接触点を検出するものとしてある。（ｂ）で
はこの入力装置の斜視図を示す。この入力装置に上記タッチ入力検知方法を用い
ることにより入力操作性が向上することになる。
以下、本発明の実施例で、複数の項目と、それらのうち現在どの項目が選択さ
れているかを明示するカーソルとを表示する表示手段を持ち、直線もしくは曲線
状の軌跡線分上に疎密を持って可動接触子を付設し、該下部に接点を付設し、可
動接触子と接点を常時接触させないためのスペーサを付設し、可動接触子付設部
の上面に突起を付設し、隣り合う２つの可動接触子を連続して押下することによ
って発生する押下イベント数にカーソルを同期させて、移動もしくは早送り移動
し、表示させる手段を持つことを特徴とするタッチ入力検知装置である。
図３７のように金属板等の硬質板Ｋ上に基板５９を付設し、基板上に２つで一
組の接点６０を設けスペーサ５４を介して突起５７が上面に付設されたフィルム
状シートの下部に導体より成る可動接触子を設け、図（ａ）のように上方よりの
押圧もしくは上下よりの指による押圧によりタッチイベントを発生させ、この指
のスライド等により入力項目の制御を行う。図３７（ｂ）は疎密を持って構成し
た直線軌跡上のタッチ検知入力装置の斜視図である。これについては、距離と入
力イベント数は比例しない。タッチ位置により入力イベント数は異なる。この入
力装置に上記タッチ入力検知方法を用いることにより入力操作性が向上すること
になる。
幾つかの例示的な例について本発明を説明したが、本発明の精神と範囲を逸脱
することなく修正を行えることを、当業者なら理解するであろう。上記の実施例
は、例として示したものにすぎず、特許請求の範囲を制限するものとして解釈す
べきではない。
【図面の簡単な説明】
【００３７】
【図１】本発明の実施の形態における静電誘導式検知方式の回路構成図である。
【図２】本発明の実施の形態における光学式検知方式の回路構成図である。
【図３】本発明の実施の形態における光学式検知手段を示す発光素子と受光素子との配置図であり，（ａ）は断面図、（ｂ）は平面図である。
【図４】本発明の実施の形態における光学式検知手段を示す発光素子と受光素子との他の配置図である。
【図５】本発明の実施の形態における直流抵抗検知方式の回路構成図である。
【図６】本発明の実施の形態における抵抗膜式検知手段を示した概念構成図であり、（ａ）は抵抗膜の配置図、（ｂ）は電圧分布を説明する説明図である。
【図７】同じく抵抗膜式検知手段を示した回路図である。
【図８】本発明の実施の形態における可動電極式検知手段を示すものであり、（ａ）は断面図、（ｂ）は回路構成図である。
【図９】本発明の実施の形態におけるタッチ検知センサーの配置図で、（ａ）は直線状に配置し平行してスイッチ手段を設けたもの、（ｂ）は円弧曲線状に配置し隣接してスイッチ手段を設けたもの、（ｃ）は直線状に垂直に配置したもの、（ｄ）は検知密度の異なるものを複数平行して配置した図である。
【図１０】本発明の実施の形態において付設する横スライド式プッシュスイッチ付きの接触操作型電子部品の一例を示す図である。
【図１１】同じくプッシュスイッチ付きの接触操作型電子部品の更に他の例の斜視図である。
【図１２】本発明の実施の形態において付設するプッシュスイッチ付きの接触操作型電子部品の円形の軌跡を持つ型の平面図と概略図であり、（ａ）はセンサーとスイッチ一体型、（ｂ）はセンサーとスイッチ分離型である。
【図１３】本発明の実施の形態において付設するプッシュスイッチ付きの接触操作型電子部品の他の例の図である。
【図１４】同じくプッシュスイッチ付きの接触操作型電子部品の他の例の図である。
【図１５】本発明の実施の形態において付設するタッチ検知センサーの疎密を持った配置の概念図である。実際にはアナログ式に近い場合はイベント発生の点ではなく不均一な長さである。
【図１６】本発明の実施の形態において付設するキートップにタッチ検知部の設けられたキースイッチの斜視図である。（ａ）キートップにセンサーの付いたもの、（ｂ）複数のセンサーの付いたもの、（ｃ）、（ｄ）タッチ検知手段あるいはタッチパットの付いたものである。
【図１７】本発明の実施の形態においてタッチ検知入力装置を付設した電子機器の図である。（ａ），（ｂ），（ｃ）は平面図、（ｄ），（ｅ），（ｆ）は斜視図である。
【図１８】本発明の実施の形態においてタッチ検知入力装置を付設した電子機器の図である。（ａ）は円形の軌跡に配設したものの正面図、（ｂ）は側面に配設したものの斜視図、（ｃ），（ｄ），（ｅ）はカード型もしくは立方体のものの正面図で、（ｃ）は直線上の軌跡に不均一に分布配設したもの、（ｄ）は平行に複数配設したもの、（ｅ）は円形に配設したものである。
【図１９】本発明の実施の形態においてキートップにタッチ検知部の設けられたキースイッチを軌跡上に配設したものの平面図である。（ａ）は直線上に配設したもの、（ｂ）は交叉あるいは放射状に配設したもの、（ｃ）は平行に配設したもの、（ｃ）は平行または交叉あるいは放射状に配設したものである。
【図２０】本発明の実施の形態におけるタッチ検知入力装置の回路構成を示すブロック図である。
【図２１】本発明の実施の形態においてタッチ検知入力装置を配設した赤外線ＬＥＤを持つリモートコマンダーの正面図である。機能リストあるいはデータリストを表示した状態でデータポインタ及びカーソルの指し示すリストをその右側に示す。
【図２２】本発明の実施の形態においてタッチ検知入力装置を配設した赤外線ＬＥＤを持つリモートコマンダーの操作図である。
【図２３】本発明の実施の形態においてタッチ検知入力装置を配設した赤外線ＬＥＤを持つリモートコマンダーの操作図である。
【図２４】本発明の実施の形態においてタッチ検知入力装置を配設した赤外線ＬＥＤを持つリモートコマンダーの操作図である。
【図２５】本発明の実施の形態においてタッチ検知入力装置を配設した赤外線ＬＥＤを持つリモートコマンダーの操作図である。
【図２６】本発明の実施の形態において円形のタッチ検知入力装置を配設した赤外線ＬＥＤを持つリモートコマンダーの操作図である。
【図２７】本発明の実施の形態において円形のタッチ検知入力装置を配設した赤外線ＬＥＤを持つリモートコマンダーの操作図である。
【図２８】本発明の実施の形態において円形のタッチ検知入力装置を配設した赤外線ＬＥＤを持つリモートコマンダーの操作図である。
【図２９】本発明の実施の形態において円形のタッチ検知入力装置を配設した赤外線ＬＥＤを持つリモートコマンダーの操作図である。
【図３０】本発明の実施の形態において円形のタッチ検知入力装置を配設した赤外線ＬＥＤを持つリモートコマンダーの操作図である。
【図３１】本発明の実施の形態において円形のタッチ検知入力装置を配設した赤外線ＬＥＤを持つリモートコマンダーの操作図である。
【図３２】本発明の実施の形態において円形のタッチ検知入力装置を配設した赤外線ＬＥＤを持つリモートコマンダーの操作図である。
【図３３】本発明の実施の形態において、キートップにタッチ検知部の設けられたキースイッチを付設したリモートコマンダーの操作図である。
【図３４】本発明の実施の形態における、タッチ入力検知時のデータポインタ移動ついての説明図である。
【図３５】本発明の実施の形態における、タッチ入力検知装置の回路を表すブロック図である。
【図３６】本発明の実施の形態における、タッチ入力検知装置の説明図である。
【図３７】本発明の実施の形態における、タッチ入力検知装置の説明図である。
【符号の説明】
【００３８】
１…パルス発生回路
２…スキャンドライブ回路
３…ＣＲ移相発振回路
４…周波数比較回路
５…コントロール回路
６…判定回路
７…発光素子
８…受光素子
９…デマルチプレクサ
１０…マルチプレクサ
１１…判定回路
１２…コントロール回路
１３…ＡＤ変換器
１４…金属接触接点スイッチ
１５…抵抗膜
１６…電極
１７…電圧測定器
１８…コントロール回路
１９…カウンタ
２０…デコーダ
２１…スペーサ
２２…可動電極
２３…固定電極
２４…タッチ位置検知センサー４３
２５…圧力スイッチもしくはタッチスイッチ
２６…弾性接点脚
２７…プッシュスイッチ
２８…突起
２９…接点付き取付基板
３０…端子
３１…端子
３２…キートップ保持部
３３…バネ体
３４…タッチ位置検知部
３５…ケーブル
３６…保持部
３７…タッチセンサー
３８…接続部材
３９…スイッチ
４０…円形の軌跡状のタッチ位置検知センサー
４１…キートップにタッチセンサーの付いたキー
４２…キートップに複数のタッチセンサーの付いたキー
４３…タッチパット
４４…液晶表示部
４５…表示部
４６…スピーカ
４７…音声回路
４８…演算制御回路
４９…タッチ検知回路
５０…アプリケーションシステム
５１…発光体
５２…カーソル
５３…ＬＥＤ
５４…スペーサ
５５…導電路パターン
５６…フィルム状可動部
５７…突起
５８…導体
５９…基板
６０…固定電極
【図１】
2005293606.tif 000003
【図２】
2005293606.tif 000004
【図３】
2005293606.tif 000005
【図４】
2005293606.tif 000006
【図５】
2005293606.tif 000007
【図６】
2005293606.tif 000008
【図７】
2005293606.tif 000009
【図８】
2005293606.tif 000010
【図９】
2005293606.tif 000011
【図１０】
2005293606.tif 000012
【図１１】
2005293606.tif 000013
【図１２】
2005293606.tif 000014
【図１３】
2005293606.tif 000015
【図１４】
2005293606.tif 000016
【図１５】
2005293606.tif 000017
【図１６】
2005293606.tif 000018
【図１７】
2005293606.tif 000019
【図１８】
2005293606.tif 000020
【図１９】
2005293606.tif 000021
【図２０】
2005293606.tif 000022
【図２１】
2005293606.tif 000023
【図２２】
2005293606.tif 000024
【図２３】
2005293606.tif 000025
【図２４】
2005293606.tif 000026
【図２５】
2005293606.tif 000027
【図２６】
2005293606.tif 000028
【図２７】
2005293606.tif 000029
【図２８】
2005293606.tif 000030
【図２９】
2005293606.tif 000031
【図３０】
2005293606.tif 000032
【図３１】
2005293606.tif 000033
【図３２】
2005293606.tif 000034
【図３３】
2005293606.tif 000035
【図３４】
2005293606.tif 000036
【図３５】
2005293606.tif 000037
【図３６】
2005293606.tif 000038
【図３７】
2005293606.tif 000039